(57)【要約】【課題】複数の電話機が車載機と接続可能な状況において、所望の電話機から容易に発信させることができ、利便性を高める。【解決手段】車載機１は、ユーザが予め選択方法を設定すると、その選択方法の設定を設定情報（電波強度優先、電話帳登録優先、キャリア優先）として記憶しておく。車載機１は、ユーザが発信先を選択すると、その記憶しておいた設定情報を用い、自機と接続可能な複数の携帯電話機１１ａ〜１１ｎの中から当該設定情報に応じた携帯電話機を発信電話機として選択し、その発信電話機として選択した携帯電話機から発信させる。【選択図】図１
2017028367.tif 000002
【特許請求の範囲】
【請求項１】
複数の電話機（１１ａ〜１１ｎ）と通信可能に接続する接続部（３）と、
ユーザからの選択方法の設定を受付ける設定受付部（２ａ）と、
前記設定受付部により受付けられた選択方法の設定を設定情報として記憶部（５）に記憶させる記憶制御部（２ｂ）と、
ユーザからの発信先の選択を受付ける選択受付部（２ｃ）と、
ユーザからの発信先の選択が前記選択受付部により受付けられると、その時点で前記記憶部に記憶されている設定情報を特定する設定情報特定部（２ｄ）と、
前記接続部と接続可能な複数の電話機について前記設定情報特定部により特定された設定情報に対応する電話機情報を取得する情報取得部（２ｅ）と、
前記情報取得部により取得された電話機情報を用い、複数の電話機の中から一の電話機を発信電話機として選択する発信電話機選択部（２ｆ）と、
前記発信電話機選択部により発信電話機として選択された電話機に発信動作を行わせる発信動作制御部（２ｇ）と、を備えたことを特徴とする車載機（１）。
【請求項２】
請求項１に記載した車載機において、
前記設定受付部は、ユーザからの選択方法の設定として、少なくとも電波強度優先、電話帳登録優先及びキャリア優先の中から何れかの設定を受付け、
前記情報取得部は、設定情報が電波強度優先であるときには電波強度に係る情報を電話機情報として取得し、設定情報が電話帳登録優先であるときには電話帳登録に係る情報を電話機情報として取得し、設定情報がキャリア優先であるときにはキャリアに係る情報を電話機情報として取得することを特徴とする車載機。
【請求項３】
請求項２に記載した車載機において、
前記発信電話機選択部は、前記情報取得部が電波強度に係る情報を取得した場合には、複数の電話機の中から電波強度が最も強い電話機を発信電話機として選択することを特徴とする車載機。
【請求項４】
請求項２に記載した車載機において、
前記発信電話機選択部は、前記情報取得部が電話帳登録に係る情報を取得した場合には、複数の電話機の中から発信先の電話番号が電話帳データに登録されている電話機を発信電話機として選択することを特徴とする車載機。
【請求項５】
請求項２に記載した車載機において、
前記発信電話機選択部は、前記情報取得部がキャリアに係る情報を取得した場合には、複数の電話機の中から発信先の電話番号が付与されている電話機と同じキャリアの電話機を発信電話機として選択することを特徴とする車載機。
【請求項６】
請求項２から５の何れか一項に記載した車載機において、
前記接続部は、複数の電話機と近距離無線接続により通信可能に接続し、
前記情報取得部は、電波強度に係る情報を、近距離無線接続のハンズフリー通話を規定するプロトコルを用いて取得することを特徴とする車載機。
【請求項７】
請求項２から５の何れか一項に記載した車載機において、
前記接続部は、複数の電話機と近距離無線接続により通信可能に接続し、
前記情報取得部は、電話帳登録に係る情報及びキャリアに係る情報を、近距離無線接続の電話帳データ転送を規定するプロトコルを用いて取得することを特徴とする車載機。
【請求項８】
複数の電話機（１１ａ〜１１ｎ）と通信可能に接続する接続部（３）を有する車載機（１）の制御部（２）に、
ユーザからの選択方法の設定を受付ける設定受付手順と、
前記設定受付手順により受付けた選択方法の設定を設定情報として記憶部（５）に記憶させる記憶制御手順と、
ユーザからの発信先の選択を受付ける選択受付手順と、
ユーザからの発信先の選択を前記選択受付手順により受付けると、その時点で前記記憶部に記憶されている設定情報を特定する設定情報特定手順と、
前記接続部と接続可能な複数の電話機について前記設定情報特定手順により特定した設定情報に対応する電話機情報を取得する情報取得手順と、
前記情報取得手順により取得した電話機情報を用い、前記接続部と接続可能な複数の電話機の中から一の電話機を発信電話機として選択する発信電話機選択手順と、
前記発信電話機選択手順により発信電話機として選択した電話機に発信動作を行わせる発信動作制御手順と、を実行させることを特徴とするコンピュータプログラム。
【発明の詳細な説明】
【技術分野】
【０００１】
本発明は、車載機及びコンピュータプログラムに関する。
【背景技術】
【０００２】
従来より、複数の携帯電話機が一の車載機と通信可能に接続される構成が供されている。例えばユーザが複数の携帯電話機を所持して乗車し、それら複数の携帯電話機が車載機に登録されていると、複数の携帯電話機が車載機と通信可能に接続される（例えば特許文献１及び２参照）。
【先行技術文献】
【特許文献】
【０００３】
【特許文献１】特開２０１３−２２３１２０号公報
【特許文献２】特開２０１３−２４３５３２号公報
【発明の概要】
【発明が解決しようとする課題】
【０００４】
複数の携帯電話機が車載機と接続可能な状況では、ユーザにおいては、複数の携帯電話機の中から所望の携帯電話機を選択して発信させたい要望が想定される。例えばキャリア（通信事業者）により電波強度が異なれば、電波強度が最も強い携帯電話機から発信させたい要望が想定される。この場合、電波強度が最も強い携帯電話機を選択するにはユーザは以下の操作を行う。最初にユーザは複数の携帯電話機の中から何れかを選択する。このとき、その選択した携帯電話機の電波強度を示すアイコンが表示されるので、ユーザは当該選択した携帯電話機の電波強度を確認する。そして、ユーザは電波強度が最も強い携帯電話機であると判断すると、その選択した携帯電話機から発信させる。
【０００５】
しかしながら、ユーザは電波強度が最も強い携帯電話機でないと判断し、電波強度が最も強い携帯電話機が別に存在すると判断し、別の携帯電話機の電波強度を確認する必要があると判断すると、最初に戻って携帯電話機を選択し直す。そして、ユーザは電波強度が最も強い携帯電話機であると判断するまで携帯電話機の選択し直しを繰り返す。このように電波強度が最も強い携帯電話機から発信させたい要望に対して煩雑な操作が必要となる。又、このような電波強度が最も強い携帯電話機から発信させたい要望に限らず、発信先の電話番号が電話帳に登録されている携帯電話機を選択して発信させたい要望も想定されるが、この場合でも同様にして煩雑な操作が必要となる。
【０００６】
本発明は、上記した事情に鑑みてなされたものであり、その目的は、複数の電話機が車載機と接続可能な状況において、所望の電話機から容易に発信させることができ、利便性を高めることができる車載機及びコンピュータプログラムを提供することにある。
【課題を解決するための手段】
【０００７】
請求項１に記載した発明によれば、接続部は、複数の電話機と通信可能に接続する。ユーザからの選択方法の設定を設定受付部により受付けると、記憶制御部は、その受付けられた選択方法の設定を設定情報として記憶部に記憶させる。ユーザからの発信先の選択を選択受付部により受付けると、設定情報特定部は、その時点で記憶部に記憶されている設定情報を特定する。情報取得部は、接続部と接続可能な複数の電話機について設定情報特定部により特定された設定情報に対応する電話機情報を取得する。発信電話機選択部は、情報取得部により取得された電話機情報を用い、接続部と接続可能な複数の電話機の中から一の電話機を発信電話機として選択する。そして、発信動作制御部は、発信電話機選択部により発信電話機として選択された電話機に発信動作を行わせる。
【０００８】
ユーザが予め選択方法を設定すると、その選択方法の設定を設定情報として記憶しておく。その後、ユーザが発信先を選択すると、その記憶しておいた設定情報を用い、車載機と接続可能な複数の電話機の中から当該設定情報に応じた電話機を発信電話機として選択し、その発信電話機として選択した電話機から発信させるように構成した。即ち、ユーザは予め選択方法を設定しておくことで、その後、発信先を選択するだけで所望の電話機から発信させることができる。これにより、複数の電話機が車載機と接続可能な状況において、所望の電話機から容易に発信させることができ、利便性を高めることができる。
【図面の簡単な説明】
【０００９】
【図１】本発明の一実施形態を示す機能ブロック図
【図２】電波強度表示画面を示す図
【図３】電話帳データ表示画面を示す図
【図４】選択方法設定処理を示すフローチャート
【図５】発信先選択処理を示すフローチャート
【図６】選択方法設定画面を示す図
【発明を実施するための形態】
【００１０】
以下、本発明の一実施形態について図面を参照して説明する。
車両に搭載されている車載機１は、制御部２と、接続部３と、ユーザインタフェース（ＵＩ：User Interface）部４と、記憶部５と、音声認識部６とを有する。制御部２は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成されている。制御部２は、非遷移的実体的記録媒体に格納されているコンピュータプログラムを実行することで、コンピュータプログラムに対応する処理を実行し、車載機１の動作全般を制御する。
【００１１】
接続部３は、それぞれがＢｌｕｅｔｏｏｔｈ（登録商標）（以下、ＢＴと称する）接続機能を有する複数のＢＴチップ３ａ〜３ｎを有する。接続部３は、車載機１が電源オンすると、予め登録されているＢＴアドレスが付与されているＢＴデバイスを探索し、ＢＴデバイスの探索に成功すると、ＢＴチップ３ａ〜３ｎと当該探索に成功したＢＴデバイスとを１対１の関係でＢＴ通信可能に接続する。ＢＴ接続機能を有する携帯電話機１１ａ〜１１ｎが車室内に持込まれ、その携帯電話機１１ａ〜１１ｎに付与されているＢＴアドレスが接続部３に予め登録されていれば、接続部３は、ＢＴチップ３ａ〜３ｎと携帯電話機１１ａ〜１１ｎとを１対１の関係でＢＴ通信可能に接続する。携帯電話機１１ａ〜１１ｎは、それぞれ登録名と電話番号とキャリア（通信事業者）とが１件のデータとして対応付けられた複数件（例えば数１００件）分の電話帳データを記憶している。
【００１２】
接続部３は、携帯電話機１１ａ〜１１ｎの探索に成功し、ＢＴチップ３ａ〜３ｎと携帯電話機１１ａ〜１１ｎとの間でペアリングを正常に完了してＢＴ回線を接続すると、ＢＴの通信規格で定義されているＨＦＰ（Hands Free Profile）及びＰＢＡＰ（Phone Book Access Profile）を接続する。ＨＦＰは近距離無線接続のハンズフリー通話を規定するプロトコルである。接続部３は、ＨＦＰを接続することで、携帯電話機１１ａ〜１１ｎの電波強度に係る情報が当該携帯電話機１１ａ〜１１ｎから転送され、携帯電話機１１ａ〜１１ｎの電波強度に係る情報を取得する。ＰＢＡＰは近距離無線接続の電話帳データ転送を規定するプロトコルある。接続部３は、ＰＢＡＰを接続することで、携帯電話機１１ａ〜１１ｎの電話帳データが当該携帯電話機１１ａ〜１１ｎから転送され、携帯電話機１１ａ〜１１ｎの電話帳登録に係る情報及びキャリアに係る情報を当該携帯電話機１１ａ〜１１ｎから取得する。尚、ＢＴチップ３ａ〜３ｎと携帯電話機１１ａ〜１１ｎとは、両者の間で複数のプロファイルの同時接続が不可能な（シングルプロファイルの）仕様であればＨＦＰ及びＰＢＡＰを所定の順序にしたがって順次接続し、両者の間で複数のプロファイルの同時接続が可能な（マルチプロファイルの）仕様であれば、ＨＦＰ及びＰＢＡＰを同時接続する。
【００１３】
ＵＩ部４は、例えば液晶パネルや有機ＥＬ（Electro-Luminescence）パネル等を含む表示機であり、その表示領域の周辺に機械的なスイッチが配置されると共に画面上にタッチパネルが形成される。ＵＩ部４は、ユーザが機械的なスイッチやタッチパネルを操作すると、その操作内容を示す操作検知信号を制御部２に出力する。又、ＵＩ部４は、制御部２から表示指令信号を入力すると、その入力した表示指令信号により特定される画面を表示する（描画する）。即ち、制御部２は、上記したように携帯電話機１１ａ〜１１ｎの電波強度に係る情報を接続部３により取得した状態では、電波強度の表示を示す表示指令信号をＵＩ部４に出力すると、図２に示すように、携帯電話機１１ａ〜１１ｎの電波強度を示す電波強度表示画面をＵＩ部４に表示させる。図２では、３個の携帯電話機Ａ〜Ｃの電波強度について、携帯電話機Ａ、携帯電話機Ｃ、携帯電話機Ｂの順序で電波強度が強い状況を例示している。又、制御部２は、上記したように携帯電話機１１ａ〜１１ｎの電話帳登録に係る情報及びキャリアに係る情報を接続部３により取得した状態では、電話帳データ（電話帳登録及びキャリア）の表示を示す表示指令信号をＵＩ部４に出力すると、図３に示すように、携帯電話機１１ａ〜１１ｎの電話帳データを示す電話帳データ表示画面をＵＩ部４に表示させる。図３では、「さ行」の電話帳データを例示している。尚、電話帳データ表示画面に表示される電話帳データは、携帯電話機１１ａ〜１１ｎの個々に登録されている電話帳データが合併された電話帳データである。即ち、例えば３個の携帯電話機の探索に成功し、３個の携帯電話機から電話帳データが転送されれば、３個の携帯電話機の個々に登録されている電話帳データが合併された電話帳データである。
【００１４】
記憶部５は、上記したように接続部３が携帯電話機１１ａ〜１１ｎから取得した電波強度に係る情報、電話帳登録に係る情報及びキャリアに係る情報を記憶する。又、記憶部５は、詳しくは後述する設定情報を記憶する。音声認識部６は、車室内の所定箇所に配置されているマイクロホン７を接続している。マイクロホン７は、ユーザから発せられた音声を取り込むと、その取り込んだ音声を音声認識部６に出力する。音声認識部６は、マイクロホン７から音声を入力すると、その入力した音声を所定の音声認識アルゴリズムにしたがって音声認識し、その音声認識した結果を制御部２に出力する。
【００１５】
制御部２は、設定受付部２ａと、記憶制御部２ｂと、選択受付部２ｃと、設定情報特定部２ｄと、情報取得部２ｅと、発信電話機選択部２ｆと、発信動作制御部２ｇとを有する。これら各部２ａ〜２ｇはソフトウェアにより実現されている。尚、各部２ａ〜２ｇがハードウェアにより実現される構成でも良い。
【００１６】
設定受付部２ａは、ユーザが選択方法を設定することで、そのユーザからの選択方法の設定を受付ける。この場合、ユーザは「電波強度優先」、「電話帳登録優先」及び「キャリア優先」の中から何れかを選択方法として設定する。尚、ユーザが選択方法を設定する方法は、ユーザがＵＩ部４を操作することでも良いし、ユーザから発せられた選択方法の設定に係る音声を音声認識部６により音声認識することでも良い。記憶制御部２ｂは、選択方法の設定が設定受付部２ａにより受付けられると、その受付けられた選択方法の設定を設定情報として記憶部５に記憶させる。
【００１７】
選択受付部２ｃは、ユーザが発信先を選択することで、そのユーザからの発信先の選択を受付ける。ユーザが発信先を選択する方法は、ユーザがＵＩ部４を操作することでも良いし、ユーザから発せられた発信先の選択に係る音声を音声認識部６により音声認識することでも良い。設定情報特定部２ｄは、ユーザからの発信先の選択が選択受付部２ｃにより受付けられると、その時点で記憶部５に記憶されている設定情報を特定する。
【００１８】
情報取得部２ｅは、設定情報が設定情報特定部２ｄにより特定されると、携帯電話機１１ａ〜１１ｎについて設定情報に対応する電話機情報を取得する。即ち、情報取得部２ｅは、設定情報が「電波強度優先」であるときには電波強度に係る情報を取得し、設定情報が「電話帳登録優先」であるときには電話帳登録に係る情報を取得し、設定情報が「キャリア優先」であるときにはキャリアに係る情報を取得する。発信電話機選択部２ｆは、電話機情報が情報取得部２ｅにより取得されると、その取得された電話機情報を用い、携帯電話機１１ａ〜１１ｎの中から一の携帯電話機を発信電話機として選択する。発信動作制御部２ｇは、発信電話機が発信電話機選択部２ｆにより選択されると、その発信電話機として選択された携帯電話機に発信動作を行わせる。
【００１９】
次に、上記した構成の作用について、図４から図６を参照して説明する。制御部２は、本発明に関連し、図４に示す選択方法設定処理、図５に示す発信先選択処理を行う。以下、それぞれの処理について説明する。尚、ここでは、発信先の電話機として携帯電話機を選択する場合を説明する。
【００２０】
（１）選択方法設定処理
制御部２は、メイン処理を実行中に選択方法設定処理の開始条件が成立すると、選択方法設定処理を開始する。制御部２は、選択方法設定処理を開始すると、ユーザからの選択方法設定画面の表示指示を受付けたか否かを判定する（Ｓ１）。制御部２は、ユーザからの選択方法設定画面の表示指示を受付けたと判定すると（Ｓ１：ＹＥＳ）、図６に示すように、選択方法設定画面をＵＩ部４に表示させる（Ｓ２）。制御部２は、選択方法設定画面では「電波強度を優先する」、「電話帳登録を優先する」、「発信先と同じキャリアを優先する」の何れかをユーザが選択可能に表示させる。
【００２１】
制御部２は、選択方法設定画面を表示中ではユーザからの選択方法の設定を受付けたか否かを判定する（Ｓ３）。制御部２は、ユーザからの選択方法の設定を受付けたと判定すると（Ｓ３：ＹＥＳ、設定受付手順）、その受付けた選択方法の設定を設定情報として記憶部５に記憶させ（Ｓ４、記憶制御手順）、選択方法設定処理を終了してメイン処理にリターンする。即ち、制御部２は、ユーザが「電波強度を優先する」を設定したと判定すると、「電波強度優先」を設定情報として記憶させる。又、制御部２は、ユーザが「電話帳登録を優先する」を設定したと判定すると、「電話帳登録優先」を設定情報として記憶させる。又、制御部２は、ユーザが「発信先と同じキャリアを優先する」を設定したと判定すると、「キャリア優先」を設定情報として記憶させる。
【００２２】
（２）発信先選択処理
制御部２は、メイン処理を実行中に発信先選択処理の開始条件が成立すると、発信先選択処理を開始する。制御部２は、発信先選択処理を開始すると、ユーザからの発信先の選択を受付けたか否かを判定する（Ｓ１１）。制御部２は、ユーザからの発信先の選択を受付けたと判定すると（Ｓ１１：ＹＥＳ、選択受付手順）、その時点で記憶部５に記憶されている設定情報を特定する（Ｓ１２、設定情報特定手順）。
【００２３】
次いで、制御部２は、その特定した設定情報が「電波強度優先」、「電話帳登録優先」及び「キャリア優先」の何れであるかを判定する（Ｓ１３〜Ｓ１５）。制御部２は、その特定した設定情報が「電波強度優先」であると判定すると（Ｓ１３：ＹＥＳ）、記憶部５に記憶されている電波強度に係る情報を取得する（Ｓ１６、情報取得手順）。次いで、制御部２は、その取得した電波強度に係る情報を参照し、携帯電話機１１ａ〜１１ｎの中から電波強度が最も強い携帯電話機を発信電話機として選択する（Ｓ１７、発信電話機選択手順）。そして、制御部２は、その発信電話機として選択した携帯電話機に発信動作を行わせることで、電波強度が最も強い携帯電話機から発信させ（Ｓ１８、発信動作制御手順）、発信先選択処理を終了してメイン処理にリターンする。
【００２４】
又、制御部２は、その特定した設定情報が「電話帳登録優先」であると判定すると（Ｓ１４：ＹＥＳ）、記憶部５に記憶されている電話帳登録に係る情報を取得する（Ｓ１９、情報取得手順）。次いで、制御部２は、その取得した電話帳登録に係る情報を参照し、携帯電話機１１ａ〜１１ｎの中から発信先の電話番号が電話帳データに登録されている携帯電話機を発信電話機として選択する（Ｓ２０、発信電話機選択手順）。そして、制御部２は、その発信電話機として選択した携帯電話機に発信動作を行わせることで、発信先の電話番号が電話帳データに登録されている携帯電話機から発信させ（Ｓ２１、発信動作制御手順）、発信先選択処理を終了してメイン処理にリターンする。
【００２５】
又、制御部２は、その特定した設定情報が「キャリア優先」であると判定すると（Ｓ１５：ＹＥＳ）、記憶部５に記憶されているキャリアに係る情報を取得する（Ｓ２２、情報取得手順）。次いで、制御部２は、その取得したキャリアに係る情報を参照し、携帯電話機１１ａ〜１１ｎの中から発信先の電話番号が付与されている携帯電話機と同じキャリアの携帯電話機を発信電話機として選択する（Ｓ２３、発信電話機選択手順）。そして、制御部２は、その発信電話機として選択した携帯電話機に発信動作を行わせることで、発信先の電話番号が付与されている携帯電話機と同じキャリアの携帯電話機から発信させ（Ｓ２４、発信動作制御手順）、発信先選択処理を終了してメイン処理にリターンする。
【００２６】
尚、制御部２は、電波強度が最も強い携帯電話機を発信電話機として選択する場合には一の携帯電話機を発信電話機として選択可能である。又、制御部２は、発信先の電話番号が電話帳データに登録されている携帯電話機を発信電話機として選択する場合に、発信先の電話番号が一の携帯電話機の電話帳データのみに登録されていれば、一の携帯電話機を発信電話機として選択可能である。一方、制御部２は、発信先の電話番号が二以上の携帯電話機の電話帳データに重複して登録されていれば、一の携帯電話機を発信電話機として選択不可能である。その場合、制御部２は、予め条件を設定しておくことで、その二以上の携帯電話機の中から条件を満たす一の携帯電話機を発信電話機として選択すれば良い。即ち、制御部２は、二以上の携帯電話機の例えば電波強度を判定することで、電波強度が最も強い携帯電話機から発信させても良い。又、二以上の携帯電話機の例えばキャリアを判定することで、発信先の電話番号が付与されている携帯電話機と同じキャリアの携帯電話機から発信させても良い。
【００２７】
同様に、制御部２は、発信先の電話番号が付与されている携帯電話機と同じキャリアの携帯電話機を発信電話機として選択する場合に、発信先の電話番号が付与されている携帯電話機と同じキャリアの携帯電話機一であれば、一の携帯電話機を発信電話機として選択可能である。一方、制御部２は、発信先の電話番号が付与されている携帯電話機と同じキャリアの携帯電話機が二以上であれば、一の携帯電話機を発信電話機として選択不可能である。その場合も、制御部２は、予め条件を設定しておくことで、その二以上の携帯電話機の中から条件を満たす一の携帯電話機を発信電話機として選択すれば良い。即ち、制御部２は、二以上の携帯電話機の例えば電波強度を判定することで、電波強度が最も強い携帯電話機から発信させても良い。又、二以上の携帯電話機の電話帳データを判定することで、発信先の電話番号が電話帳データに登録されている電話機発信させても良い。
【００２８】
このように発信先の電話番号が二以上の携帯電話機に重複して登録されていたり二以上の携帯電話機でキャリアが重複していたりすると、「電話帳登録優先」や「キャリア優先」を設定情報として記憶させているときに一の携帯電話機を発信電話機として選択不可能な場合があり得るが、制御部２は、予め条件を設定しておくことで、一の携帯電話機を発信電話機として選択すれば良い。又、制御部２は、どのような条件を用いても良く、例えば発信履歴を用いることで、発信先の電話番号に過去に発信した日時が最も新しい携帯電話機を発信電話機として選択しても良いし、着信履歴を用いることで、発信先の電話番号から過去に着信した日時が最も新しい携帯電話機を発信電話機として選択しても良い。又、以上は、発信先の電話機として携帯電話機を選択した場合を説明したが、「キャリア優先」を設定情報として記憶させているときに発信先の電話機として固定電話機を選択した場合にも一の携帯電話機を発信電話機として選択不可能である。この場合でも上記した条件を用いて一の携帯電話機を発信電話機として選択すれば良い。
【００２９】
又、接続部３が複数の携帯電話機１１ａ〜１１ｎとの間でＨＦＰを常時接続する構成であれば、制御部２は、何れかの携帯電話機を発信電話機として選択した後に、接続部３と発信電話機として選択した携帯電話機との間でＨＦＰを再接続させずに、その発信電話機として選択した携帯電話機から発信させれば良い。一方、接続部３が複数の携帯電話機１１ａ〜１１ｎとの間でＨＦＰを常時接続しない構成であれば、制御部２は、何れかの携帯電話機を発信電話機として選択した後に、接続部３と発信電話機として選択した携帯電話機との間でＨＦＰを再接続させることで、その発信電話機として選択した携帯電話機から発信させれば良い。
【００３０】
以上説明したように本実施形態によれば、次に示す効果を得ることができる。
車載機１において、ユーザが予め選択方法を設定すると、その選択方法の設定を設定情報として記憶しておく。その後、ユーザが発信先を選択すると、その記憶しておいた設定情報を用い、自機と接続可能な複数の携帯電話機１１ａ〜１１ｎの中から当該設定情報に応じた携帯電話機を発信電話機として選択し、その発信電話機として選択した携帯電話機から発信させるように構成した。即ち、ユーザは予め選択方法を設定しておくことで、その後、発信先を選択するだけで、従来のような携帯電話機を選択し直す煩雑な手間を必要とせずに所望の携帯電話機から発信させることができる。これにより、複数の携帯電話機１１ａ〜１１ｎが車載機１と接続可能な状況において、所望の携帯電話機から容易に発信させることができ、利便性を高めることができる。
【００３１】
この場合、ユーザが選択方法として「電波強度を優先する」、「電話帳登録を優先する」、「発信先と同じキャリアを優先する」の何れかを選択可能に構成した。ユーザが「電波強度を優先する」を選択すると、携帯電話機１１ａ〜１１ｎの中から電波強度が最も強い携帯電話機を発信電話機として選択するように構成した。これにより、電波強度が最も強い携帯電話機から発信させることができる。又、ユーザが「電話帳登録を優先する」を選択すると、携帯電話機１１ａ〜１１ｎの中から発信先の電話番号が電話帳データに登録されている携帯電話機を発信電話機として選択するように構成した。これにより、発信先の電話番号が電話帳データに登録されている携帯電話機から発信させることができる。ユーザが「発信先と同じキャリアを優先する」を選択すると、携帯電話機１１ａ〜１１ｎの中から発信先の電話番号が付与されている携帯電話機と同じキャリアの携帯電話機を発信電話機として選択するように構成した。これにより、発信先の電話番号が付与されている携帯電話機から発信させることができる。
【００３２】
本発明は、上記した実施形態で例示したものに限定されることなく、その範囲を逸脱しない範囲で任意に変形又は拡張することができる。
本実施形態では、複数の携帯電話機１１ａ〜１１ｎと車載機１とがＢＴ接続する構成を例示したが、別の近距離無線接続の通信規格に準拠する方式により無線接続する構成でも良い。又、複数の携帯電話機１１ａ〜１１ｎの全て又は一部と車載機１とが有線接続する構成でも良い。車載機１が接続可能な電話機として、車室内に持込まれる携帯電話機１１ａ〜１１ｎに加え、車室内から取外し不可能な自動車電話機が含まれていても良い。その場合、携帯電話機１１ａ〜１１ｎと自動車電話機との中から設定情報に応じた電話機を発信電話機として選択することになる。
【００３３】
本実施形態では、複数の携帯電話機１１ａ〜１１ｎと車載機１とがＰＢＡＰを接続することで、携帯電話機１１ａ〜１１ｎの電話帳データが転送される構成を例示したが、ＰＢＡＰとは別のプロファイル（例えばＯＰＰ（Object Push Profile））を接続することで、携帯電話機１１ａ〜１１ｎの電話帳データが転送される構成でも良い。
【符号の説明】
【００３４】
図面中、１は車載機、２は制御部、２ａは設定受付部、２ｂは記憶制御部、２ｃは選択受付部、２ｄは設定情報特定部、２ｅは情報取得部、２ｆは発信電話機選択部、２ｇは発信動作制御部、３は接続部、５は記憶部である。
【図１】
2017028367.tif 000003
【図２】
2017028367.tif 000004
【図３】
2017028367.tif 000005
【図４】
2017028367.tif 000006
【図５】
2017028367.tif 000007
【図６】
2017028367.tif 000008